(57)【要約】      （修正有）【課題】結び目が解けにくく、デザイン性に優れた靴紐を提供する。【解決手段】数多い本数の糸を引っ張りながら、定められた順序で互いに絡ませ続けることにより、一本の編み紐に仕上げられてなる靴紐であって、引っ張る力の相対的に大きい糸群４Ｂより編成されたクビレ部位２と、引っ張る力の相対的に小さい糸群により編成されたハラミ部位３とが交互に繰り返されてなり、この繰り返しによって、蛇行する蛇を模倣する形態を為してなる。【選択図】図１
0003173173.tif 000002
【実用新案登録請求の範囲】
【請求項１】
数多い本数の糸を引っ張りながら、定められた順序で互いに絡ませ続けることにより、一本の編み紐に仕上げられてなる靴紐であって、
前記引っ張る力の相対的に大きい糸群より編成されたクビレ部位と、前記引っ張る力の相対的に小さい糸群により編成されたハラミ部位とが交互に繰り返されてなり、この繰り返しによって、蛇行する蛇を模倣する形態を為してなることを特徴とする靴紐。
【請求項２】
前記クビレ部位を形成する糸群の色彩を前記ハラミ部位を形成する糸群の色彩と異ならせることにより、該クビレ部位において、蜘蛛を模倣した図柄を形成してなることを特徴とする、請求項１に記載の靴紐。
【請求項３】
前記クビレ部位を形成する糸群の一部の色彩を該糸群の残りの糸の色彩と異ならせることにより、好ましくは該糸群の残りの糸の色彩を前記ハラミ部位を形成する糸群の色彩と同じにすることにより、該クビレ部位において、蜘蛛を模倣した図柄を形成してなることを特徴とする、請求項１に記載の靴紐。
【考案の詳細な説明】
【技術分野】
【０００１】
本考案は、クビレ部位とハラミ部位とが交互に繰り返されてなり、この繰り返しによって、蛇行する蛇を模倣する形態を為してなることを特徴とする靴紐に関するものである。
【背景技術】
【０００２】
従来より、色彩や模様を施した靴紐が販売されているものの、その形状については丸紐形又は平紐形というありふれたものが殆どであり、靴紐における商品価値の向上及び商品アイテムの多様化という観点から、従来に無い靴紐意匠の登場が望まれていた。然しながら、例えば靴紐の一部を膨らませた形状とした場合、靴紐の結び目が緩み、解けやすくなるおそれがある。
【０００３】
結び目の解けにくさは、靴紐における重要な要求性能の一つである。この点の改良として、実用新案登録第３００１３４７号公報（特許文献１）には、結び目となる箇所に液状ゴムを被覆又は含浸して、固化させ、滑り止めとして解け難くした靴紐が記載されている。しかし、この靴紐の製造には、結び目となる箇所に液状ゴムなどの樹脂を被覆又は含浸して、固化させる工程が必要であるため、特殊な装置や材料が必要であり製造コストが高くつくだけでなく、仕上った靴紐のデザイン価値は決して高いものではなかった。
【先行技術文献】
【特許文献】
【０００４】
【特許文献１】実用新案登録第３００１３４７号公報
【考案の概要】
【考案が解決しようとする課題】
【０００５】
本考案は上述の従来技術を背景として、技術上の性能を満足しかつ靴紐の意匠価値をさらに改良すべくなされたものであって、具体的には、従来には無い斬新な靴紐意匠を具えかつ結び目が解け難く、また特殊な装置や材料を必要とせずに製造することができ、そしてデザイン性に著しく優れた靴紐を提供することを目的とするものである。
【課題を解決するための手段】
【０００６】
すなわち本考案は、数多い本数の糸を引っ張りながら、定められた順序で互いに絡ませ続けることにより、一本の編み紐に仕上げられてなる靴紐であって、
前記引っ張る力の相対的に大きい糸群より編成されたクビレ部位と、前記引っ張る力の相対的に小さい糸群により編成されたハラミ部位とが交互に繰り返されてなり、この繰り返しによって、蛇行する蛇を模倣する形態を為してなることを特徴とする靴紐に関するものである。
また、本考案の好ましい態様は、前記クビレ部位を形成する糸群の色彩を前記ハラミ部位を形成する糸群の色彩と異ならせることにより、該クビレ部位において、蜘蛛を模倣した図柄を形成してなることを特徴とする靴紐に関するものである。
また、さらに本考案の好ましい態様は、前記クビレ部位を形成する糸群の一部の色彩を該糸群の残りの糸の色彩と異ならせることにより、好ましくは該糸群の残りの糸の色彩を前記ハラミ部位を形成する糸群の色彩と同じにすることにより、該クビレ部位において、蜘蛛を模倣した図柄を形成してなることを特徴とする靴紐に関するものである。
【考案の効果】
【０００７】
本考案の靴紐は、これを結ぶ際、結び目になるところにおいてクビレ部位同士が互いにきつく引き締め合い、十分な緊締力が得られるため結び目が解け難くなるという効果を奏
するものである。また、本考案の靴紐は通常の靴紐の製造に使用する装置を用いて製造することができるものである。更に本考案の靴紐は蛇行する蛇を模倣する形態をなしかつ蜘蛛を模倣した図柄が形成されているものであり、デザイン性に大変優れたものでもある。
【図面の簡単な説明】
【０００８】
【図１】図１は本考案の実施例１の靴紐１を示す図である。
【図２】図２は本考案の実施例２の靴紐１０を示す図である。
【図３】図３は本考案の実施例１の靴紐１のクビレ部位２を図１中の矢印Ｐ方向より見た拡大図である。
【図４】図４は本考案の実施例２の靴紐１０のクビレ部位２を図２中の矢印Ｐ方向より見た拡大図である。
【図５】図５は本考案の実施例１の靴紐１を製造する際に使用する製紐機５を示す図である。
【考案を実施するための形態】
【０００９】
本考案の靴紐は、数多い本数の糸を引っ張りながら、定められた順序で互いに絡ませ続けることにより、一本の編み紐に仕上げられてなるものであるが、前記数多い本数の糸のうち、前記引っ張る力の相対的に大きい糸群と引っ張る力の相対的に小さい糸群とを設けることにより、編み上げられた際に、引っ張る力の相対的に大きい糸群より編成された箇所と、引っ張る力の相対的に小さい糸群により編成された箇所が交互に繰り返し形成される。引っ張る力の相対的に大きい糸群より編成された箇所は編み目が締まるため、くびれた形状のクビレ部位となり、引っ張る力の相対的に小さい糸群により編成された箇所は編み目が緩いため、外側に膨張したハラミ部位となる。このようにして本考案の靴紐はクビレ部位とハラミ部位が交互に繰り返し形成され、蛇行する蛇を模倣する形態を為すものである。
【００１０】
前記数多い本数の糸のうち、引っ張る力の相対的に大きい糸群と引っ張る力の相対的に小さい糸群との糸の本数の比率は、特に限定されるものではないが、１：１５乃至１５：１の間が好ましく、特に３：４の比率が好ましい。
【００１１】
また、前記引っ張る力の相対的に大きい糸群の糸については、前記引っ張る力の相対的に小さい糸群の糸に対して、それぞれ引っ張る力を１．５乃至１０倍とすることが好ましく、３乃至６倍とすることが特に好ましい。
【００１２】
また、本考案に用いられる糸の材質としては、特に限定されるものではないが、綿、麻又は絹などの天然繊維、又はナイロン、ポリエステル、ポリプロピレン又はレーヨン等の合成繊維等が挙げられる。
また、該糸の形状としてはスパン糸、フィラメント糸又はウーリー糸等を使用することができる。
特に、膨張しやすくハラミ部位を好適に形成することができるという点で、嵩高さを有するエステルウーリー糸が好ましく使用できる。
また、本考案に用いられる糸としては１本の糸を単独で用いてもよいが、複数本の糸を１本にまとめたものを使用しても良い。
【００１３】
本考案の靴紐は、数多い本数の糸を引っ張りながら、定められた順序で互いに絡ませ続けるという、一般的な靴紐の製造と同様の方法により製造され、本考案の靴紐の製造には市販の製紐機を使用することができる。
【００１４】
また、クビレ部位を形成する糸群の色彩を前記ハラミ部位を形成する糸群の色彩と異ならせることにより、より具体的には、クビレ部位を形成する糸群の一部を、一本の編み紐
に仕上っていく中心線に対して或る決められたレイアウトで配することによって、該クビレ部位において、蜘蛛を模倣した図柄を形成することができる。
更に、前記クビレ部位を形成する糸群の一部の色彩を該糸群の残りの糸の色彩と異ならせることにより、好ましくは該糸群の残りの糸の色彩を前記ハラミ部位を形成する糸群の色彩と同じにすることによっても、該クビレ部位において、蜘蛛を模倣した図柄を好適に形成することができる。
【実施例】
【００１５】
以下本考案の実施例を説明する。
実施例１
靴紐１の製造には図３に示される市販の製紐機５を使用する。製紐機５は、円盤状の台６、その上を形成された上下反対の波形をなす２本の波型軌道７ａ及び７ｂ、及び、該軌道上を走行する３２個のボビンキャリアが備えられたものである。また、各ボビンキャリアにはそれぞれ糸４が巻き付けられたボビン８が搭載されている。３２個のボビンキャリアは、その半数が軌道７a上を走行し、残りが軌道７ｂ上をその反対の方向に走行するこ
とにより、３２本の糸４が互いに絡み合い、靴紐１が編み上げられる。
３２本の糸４のうち、２０本の糸についてはそれぞれ１０匁の錘を製紐機の張力調整機構に搭載することにより引っ張る力を付与する。これらを引っ張る力の相対的に小さい糸群４Ａとする。また残りの１２本の糸にはそれぞれ同様に張力調整機構に４０匁の錘を搭載することにより、糸群４Ａの糸よりも引っ張る力よりを大きいものとする。これらの糸を引っ張る力の相対的に大きい糸群４Ｂとする。
引っ張る力の相対的に小さい糸群４Ａを構成する２０本のそれぞれの糸４ａには、黒色の３００デニールエステルウーリー５本からなる撚り糸を使用した。また、引っ張る力の相対的に大きい糸群４Ｂを構成する１２本の糸のうち、８本の糸４ｂ１については、それぞれ赤色の３００デニールエステルウーリー２本からなる撚り糸をそれぞれ使用し、残りの４本の糸４ｂ２については、それぞれ赤色の３００デニールエステルウーリー１本からなる単糸を使用した。
【００１６】
このように、引っ張る力の相対的に大きい糸群４Ｂ及び小さい糸群４Ａを設けることにより、編み上げられた際に、引っ張る力の相対的に大きい糸群４Ｂより編成されたクビレ部位２と、引っ張る力の相対的に小さい糸群４Ａにより編成されたハラミ部位３が交互に繰り返し形成され、結果として、靴紐１は蛇行する蛇を模倣する形態を為す。
このような形態であることにより、靴紐１は、結び目でのクビレ部位２同士の引き締め合いにより、結び目が解けにくくなる。
また、引っ張る力の相対的に大きい糸群４Ｂを構成する糸群４ｂ１及び４ｂ２の色彩を、引っ張る力の相対的に小さい糸群４Ａと異なる色彩にすることにより、図３に示すようにクビレ部位２に蜘蛛を模倣した図柄が形成される。
本考案の靴紐１は、蛇行する蛇を模倣する形態であり且つ蜘蛛を模倣した図柄も形成されることにより、デザイン的に著しく優れたものである。
【００１７】
実施例２
前記引っ張る力の相対的に大きい糸群４Ｂを構成する１２本の糸のうち、８本の糸４ｂ３については、それぞれ赤色の３００デニールエステルウーリー２本からなる撚り糸をそれぞれ使用し、残りの４本の糸４ｂ４については、それぞれ黒色の３００デニールエステルウーリー１本からなる単糸を使用した以外は実施例１と同様の構成とすることにより、靴紐１０を製造した。
【００１８】
本考案の靴紐１０は、靴紐１と同様に、蛇行する蛇を模倣する形態を為し、また、該形態であることにより、結び目が解けにくくなる。
また、引っ張る力の相対的に大きい糸群４Ｂの一部の糸群４ｂ３の色彩を、残りの糸群
４ｂ４とも異なりかつ引っ張る力の相対的に小さい糸群４Ａと異なる色彩にすることにより、図４に示すようにクビレ部位２に蜘蛛を模倣した図柄が形成される。
本考案の靴紐１０は、靴紐１と同様に、蛇行する蛇を模倣する形態であり且つ蜘蛛を模倣した図柄も形成されることにより、デザイン的に著しく優れたものである。
【符号の説明】
【００１９】
１        実施例１の靴紐
２        クビレ部位
３        ハラミ部位
４        糸
４Ａ      引っ張る力の相対的に小さい糸群
４Ｂ      引っ張る力の相対的に大きい糸群
１０      実施例２の靴紐
【図１】
0003173173.tif 000003
【図２】
0003173173.tif 000004
【図３】
0003173173.tif 000005
【図４】
0003173173.tif 000006
【図５】
0003173173.tif 000007